(57)【要約】【課題】カバーが絶縁ハウジングから誤って離れることを防止してメモリカードを定位置に維持できるコネクタを提供すること。【解決手段】メモリカードを保持すると共にそれに電気的に接続され、且つ絶縁ハウジング、複数の端子及びカバーを有する。絶縁ハウジングは、二つの側壁と一対のホルダを有する。これらのホルダは、側壁に夫々形成され、各ホルダは、横方向セグメントと制限セグメントとを有する。横方向セグメントは、対応する側壁上に形成される。制限セグメントは、横方向セグメントから突出し、制限セグメントと対応する側壁との間にギャップを画定する。端子は、絶縁ハウジングに取り付けられる。カバーは、絶縁ハウジングに旋回可能に接続され、且つ一対の取り付け脚部を有する。各取り付け脚部は、対応する側壁と接続され、対応するギャップ内に選択的に延出する制限タブを有し、取り付け脚部が横方向への移動を防止してカバーが外れることを防止する。【選択図】図２
0003135587.tif 000002
【実用新案登録請求の範囲】
【請求項１】
カードを保持し且つカードに電気的に接続されるコネクタであって、
絶縁ハウジングと、複数の端子と、カバーと、を備え、
前記絶縁ハウジングは、前端と、後端と、底部と、前記底部上に形成されると共にその底部から突出する二つの対向側壁と、前記側壁に夫々隣接して後端の底部上に形成されると共にこの底部から上方へ突出する２つの後壁と、絶縁ハウジングに画定される凹所と、後端近傍の側壁に夫々画定される一対の旋回穴と、底部に画定される複数の取り付けスロットと、Ｌ字形状とされ、後端に隣接する側壁に夫々対応し且つそれらの側壁上に夫々形成された一対のホルダと、を備え、前記ホルダの各々は、対応する側壁上に形成されると共にその対応する側壁から横方向外方に突出する横方向セグメントと、横方向セグメントに接続されると共にその横方向セグメントから垂直に突出する制限セグメントであって、対応する側壁から離間されてその制限セグメントとその対応する側壁との間にギャップを画定する当該制限セグメントと、を備え、
前記複数の端子は、導電性であり且つ夫々取り付けスロットに取り付けられ、
前記カバーは、前記後端で前記絶縁ハウジングに対して旋回可能に接続され、且つ基端と先端とを有する本体と、２つの対向側部と、本体の基端の対向側部上に夫々形成されると共にそれらの対向側部から夫々突出し、側壁とホルダに夫々対応し、更に後端で絶縁ハウジングの側壁と夫々旋回可能に接続される２つの取り付け脚部と、を備え、これらの取り付け脚部の各々は、外縁と、取り付け脚部上に横方向へ形成されると共に絶縁ハウジングの対応する側壁の旋回穴に取り付けられる旋回ボス部と、取り付け脚部の外縁上に形成されると共にその外縁から外方へ突出し、対応するホルダの制限セグメントと対応する側壁との間のギャップ中に選択的に延出して制限セグメントに当接する制限タブと、を備えるコネクタ。
【請求項２】
前記コネクタは、加入者識別モジュール（ＳＩＭ）コネクタである、請求項１に記載のコネクタ。
【請求項３】
前記制限タブは湾曲している、請求項１に記載のコネクタ。
【請求項４】
前記カバーは、更に、一対の保持トラックを有し、これらの保持トラックは、カバーの側部上に夫々形成されると共にカバーの側部から夫々突出し、更に加入者識別モジュール（ＳＩＭ）カードをスライド可能に保持する、請求項１に記載のコネクタ。
【請求項５】
前記カバーは、更に、一対の保持トラックを有し、これらの保持トラックは、カバーの側部上に夫々形成されると共にそれらの側部から夫々突出し、更に加入者識別モジュール（ＳＩＭ）カードをスライド可能に保持する、請求項３に記載のコネクタ。
【請求項６】
前記絶縁ハウジングは、更に、一対の取り付け切欠きを有し、これらの取り付け切欠きは、前記絶縁ハウジングの側壁に夫々画定され、これらの取り付け切欠きの各々は、内表面を有し；
前記カバーは、更に、一対のクランプを有し、これらのクランプは、カバーの側部上に夫々形成されると共にそれらの側部から夫々外方へ突出し、絶縁ハウジング中の取り付け切欠きに夫々選択的に強固に係合して絶縁ハウジングをクランプする、請求項１に記載のコネクタ。
【請求項７】
前記絶縁ハウジングは、更に、一対の取り付け切欠きを有し、これらの取り付け切欠きは、前記絶縁ハウジングの側壁に夫々画定され、これらの取り付け切欠きの各々は、内表面を有し、
前記カバーは、更に、一対のクランプを有し、これらのクランプは、カバーの側部上に夫々形成されると共にそれらの側部から夫々外方へ突出し、絶縁ハウジング中の取り付け切欠きに夫々選択的に強固に係合して絶縁ハウジングをクランプする、請求項５に記載のコネクタ。
【考案の詳細な説明】
【技術分野】
【０００１】
本考案は、コネクタに関し、より具体的には、絶縁ハウジングと、カバーと、一対のホルダを有し、カバーが絶縁ハウジングから誤って分離するのを防止してＳＩＭカードを所定の位置の保持する加入者識別モジュール（ＳＩＭ）カードコネクタに関する。
【背景技術】
【０００２】
図１を参照すると、従来の加入者識別モジュール（ＳＩＭ）コネクタは、絶縁ハウジング（１）とカバー（２）とを有している。
【０００３】
絶縁ハウジング（１）は、ＳＩＭカード（３）を電子デバイスに接続し、前端、後端、複数のスロット、２つの対向する側部、一対の旋回穴（１２）、二対の取り付け切欠き（１３）、及び複数の接点（１１）を有する。これらのスロットは、前端と後端との間の絶縁ハウジング（１）に長手方向に形成される。これらの旋回穴（１２）は、後端の側部に夫々画定される。取り付け切欠き（１３）は、旋回穴（１２）と前端との間の側部に夫々画定される。接点（１１）は、スロット内に夫々取り付けられる。
【０００４】
カバー（２）は、絶縁ハウジング（１）の後端に旋回可能に接続しており、基端、先端、２つの対向側部（２１）、及び一対の旋回タブ（２２）を有する。カバー（２）の各側部（２１）は、二つの保持トラック（２１１）を有する。これらの保持トラック（２１１）は、Ｌ字形状となっており、側部（２１）上に形成され、カバー（２）上にスライド可能にＳＩＭカード（３）を保持し、取り付け切欠き（１３）と夫々係合してカバー（２）が誤って旋回することを防止する。旋回タブ（２２）は、基端の側部（２１）上に夫々形成されると共にそれらの側部（２１）から長手方向に突出し、絶縁ハウジング（１）の後端で側部に夫々接続する。各旋回タブ（２２）は、旋回ボス部（２２１）を有する。旋回ボス部（２２１）は、内方に突出し、絶縁ハウジング（１）の旋回穴（１２）に夫々取り付けられる。
【０００５】
しかしながら、旋回ボス部（２２１）は、外力が、カバー（２）を不適切に開くように印加されると、絶縁ハウジング（１）の旋回穴（１２）から容易に接続が解除される。
【０００６】
上記欠点を克服するために、本考案は、上述の問題を軽減又は除去するコネクタを提供する。
【考案の開示】
【考案が解決しようとする課題】
【０００７】
本考案の主目的は、絶縁ハウジング、カバー、及び一対のホルダを有し、カバーが絶縁ハウジングから誤って離れることを防止して加入者識別モジュール（ＳＩＭ）カードのようなカードを所定位置に維持するコネクタを提供することである。
【課題を解決するための手段】
【０００８】
本考案に係るコネクタは、電子デバイスに対する加入者識別モジュール（ＳＩＭ）カードと選択的に接続され、絶縁ハウジング、複数の端子、及びカバーを有する。絶縁ハウジングは、二つの側壁、凹所、及び一対のホルダを有する。これらのホルダは、側壁に夫々形成され、各ホルダは、横方向セグメントと制限セグメントとを有する。横方向セグメントは、対応する側壁上に形成されている。制限セグメントは、制限セグメントと対応する側壁との間にギャップを画定するために横方向セグメントから突出する。端子は、絶縁ハウジングに取り付けられる。カバーは、絶縁ハウジングと旋回可能に接続されており、一対の取り付け脚部を有する。各取り付け脚部は、対応する側壁と接続されており、対応するギャップ内に選択的に延出して取り付け脚部が絶縁ハウジングに対して横方向へ移動することを防止してカバーが絶縁ハウジングから外れることを防止する制限タブを有する。
【０００９】
本考案の他の目的、利点、及び新規な特徴は、添付の図面を含む以下の詳細な説明からより明確になる。
【考案を実施するための最良の形態】
【００１０】
図２及び図３を参照すると、本考案に係るコネクタ（１００）は、加入者識別モジュール（ＳＩＭ）カードのようなメモリカードを保持すると共にそれに電気的に接続され、且つ絶縁ハウジング（１０）、複数の端子（４０）及びカバー（３０）を備える。
【００１１】
絶縁ハウジング（１０）は、前端、後端、底部（１０１）、二つの対向側壁（１０２）、二つの後壁（１０４）、凹所（１０６）、一対の旋回穴（１０３）、複数の取り付けスロット（１０７）及び一対のホルダ（１０５）を有し、更に、一対の取り付け切欠き（１０８）を備えてもよい。
【００１２】
側壁（１０２）は、底部（１０１）上に形成されると共にそこから上方へ突出する。
【００１３】
後壁（１０４）は、側壁（１０２）に夫々隣接して後端の底部（１０１）上に形成されると共にそこから上方へ突出する。
【００１４】
凹所（１０６）は、絶縁ハウジング（１０）内に画定されると共にＳＩＭカードを収容できる。
【００１５】
旋回穴（１０３）は、後端近傍の側壁（１０２）に夫々画定される。
【００１６】
取り付けスロット（１０７）は、底部（１０１）に画定される。
【００１７】
ホルダ（１０５）は、Ｌ字形状とされ、後端に隣接する側壁（１０２）上に夫々対応すると共に夫々形成され、且つ各ホルダ（１０５）は、横方向セグメント（１０５１）と制限セグメント（１０５２）を有する。横方向セグメント（１０５１）は、対応する側壁（１０２）上に形成されると共にそれから横方向外方へ突出する。制限セグメント（１０５２）は、横方向セグメント（１０５１）に接続されると共にそれから垂直に突出し、対応する側壁（１０２）から離間して制限セグメント（１０５２）と対応する側壁（１０２）との間にギャップを画定する。
【００１８】
取り付け切欠き（１０８）は、側壁（１０２）に夫々画定され、各取り付け切欠き（１０８）は、内表面を有する。
【００１９】
端子（４０）は、導電性であり、取り付けスロット（１０７）に夫々取り付けられる。
【００２０】
カバー（３０）は、後端で絶縁ハウジング（１０）と旋回可能に接続され、本体（３０１）、二つの対向側部及び二つの取り付け脚部（３０３）を有し、更に、一対の保持トラック（３０９）と一対のクランプ（３０２）とを有していてもよい。
【００２１】
本体（３０１）は、基端と先端とを有する。
【００２２】
取り付け脚部（３０３）は、本体（３０１）の基端の側部上に夫々形成されると共にそれから外方へ夫々突出する。取り付け脚部（３０３）は、側壁（１０２）とホルダ（１０５）に夫々対応し、後端で絶縁ハウジング（１０）の側壁（１０２）と夫々旋回可能に接続される。各取り付け脚部（３０３）は、外縁、旋回ボス部（３０５）及び制限タブ（３０７）を有する。旋回ボス部（３０５）は、取り付け脚部（３０３）をパンチングすることによって取り付け脚部（３０３）上に横方向に形成され、絶縁ハウジング（１０）の対応する側壁（１０２）の旋回穴（１０３）に取り付けられる。制限タブ（３０７）は、湾曲され、取り付け脚部（３０３）の外縁上に形成されると共にそこから外方へ突出し、対応するホルダ（１０５）の制限セグメント（１０５２）と対応する側壁（１０２）との間のギャップ内へ選択的に延出して制限セグメント（１０５２）と当接する。カバー（３０）が絶縁ハウジング（１０）上で開かれると、制限タブ（３０７）がギャップ内に延出し、制限セグメント（１０５２）と当接する。制限セグメント（１０５２）は、制限タブ（３０７）を押圧して、取り付け脚部（３０３）が湾曲して、絶縁ハウジング（１０）に対して横方向へ移動することを維持して、旋回ボス部（３０５）が旋回穴（１０３）から抜けることを更に防止する。制限ホルダ（１０５）と制限タブ（３０７）によって、カバー（３０）が、誤って絶縁ハウジング（１０）から分離することはない。
【００２３】
保持トラック（３０９）は、カバー（３０）の側部上に夫々形成されると共に側部から夫々突出し、ＳＩＭカードをスライド可能に保持できる。
【００２４】
クランプ（３０２）は、カバー（３０）の側部に夫々形成されると共に側部から外方へ夫々突出し、且つ絶縁ハウジング（１０）の取り付け切欠き（１０８）と選択的に強固に係合して絶縁ハウジング（１０）をクランプし且つカバー（３０）が誤って開くことを防止する。
【００２５】
ホルダ（１０５）と制限タブ（３０７）は、カバー（３０）の取り付け脚部（３０３）上の旋回ボス部（３０５）が絶縁ハウジング（１０）の旋回穴（１０３）から抜けるのを防止する。従って、カバー（３０）は、絶縁ハウジング（１０）と強固に接続されて無意識的には外れない。
【図面の簡単な説明】
【００２６】
【図１】従来のＳＩＭカードコネクタの分解斜視図である。
【図２】本考案に係るコネクタの分解斜視図である。
【図３】図２におけるコネクタの斜視図である。
【図４】図２におけるコネクタの拡大斜視図である。
【図５】図２におけるコネクタの部分断面後面図である。
【図６】閉鎖されたカバーを有する図２におけるコネクタの動作側面図である。
【図１】
0003135587.tif 000003
【図２】
0003135587.tif 000004
【図３】
0003135587.tif 000005
【図４】
0003135587.tif 000006
【図５】
0003135587.tif 000007
【図６】
0003135587.tif 000008